(57)【特許請求の範囲】
【請求項１】
ストーブ本体に内設するものであり、煙突の付け根に、孔を有する多孔質の筒体を、外筒，内筒からなり、孔の開口率は外筒よりも内筒を多くして２重筒として設けたことを特徴とする薪ストーブ。
【請求項２】
ストーブ本体は鋼板製で、多孔質の筒体は外筒よりも内筒が長い請求項１記載の薪ストーブ。
【発明の詳細な説明】
【技術分野】
【０００１】
本発明は、薪ストーブに関するものである。
【背景技術】
【０００２】
薪ストーブは、その蓄熱性からの遠赤外線の暖かさゆえに根強い人気がある。
【０００３】
燃焼の三要素は、燃料（燃えるもの：薪）と空気（酸素）と温度（酸化反応を促すための熱）でどれ一つかけると燃焼は維持できない（火は消える）。
【０００４】
薪を燃やしたときに出る煙や煤は、熱せられた可燃物（薪）から飛び出した水分や可燃性ガスが、酸素不足や、温度が低いことで完全に燃えきらずそのまま排出したり、未燃焼物が粒状になって水蒸気に付着したものである。
【０００５】
燃焼炉内に、前記燃焼の三要素がよい条件でそろった時に煙が出来ない。すなわち、１．充分な燃料があること、２．充分な酸素が供給されていること、３．充分な高温が維持されていること、であり、薪ストーブでは特に２．と３．の項目が重要である。
【０００６】
薪ストーブのストーブ内の薪の燃え方は、次の通りである。
着火剤（紙・段ボール等）などにより加熱された薪は、１１０度くらいから水分の蒸発が始まり、その後２００度くらいから薪の樹脂成分から炭化水素系の揮発ガスが発生し燃焼を始める。
【０００７】
さらに加熱が進むと薪のセルロースが分解され完全な状態で未燃物がなくなり、燃焼状態が安定する。この時の炉内温度は６００度〜７００度である。この温度が維持できれば、どのような構造のストーブ（二次燃焼室を持たない単純な箱状のものであっても）でも煙突から煙は出ない。
【０００８】
この燃焼条件を作り出すため、市販の高級ストーブは、二次燃焼室（三次燃焼室を設けている機種もある）を設置し、高温状態を維持している。
【０００９】
基本的な薪ストーブの構造は、日本式ストーブ、二次燃焼室方式、クリーンバーン方式があり、日本式ストーブは、日本の薪ストーブであり、一次空気のみを供給する構造のため、煙突内部で不完全燃焼してしまい、ススやタールが大量に付着して、煙道火災を起こしやすい。排気ダンパーという概念が無いので、かまどなどもこの構造にして燃焼空間を増やしていたようである。結果は同じで煙突内が不完全燃焼になる。
【００１０】
ただし、日本の家は、開放空間で煙も気にしないし、煙突も短い場合が多いので単純構造でも問題にしなかったようであるが、煙突の中で不完全燃焼をしている場合がほとんどである。
【００１１】
二次燃焼室方式では、点火時は、一次空気を供給して函体の温度を上げ、高温になり木質ガスが分離したら二次燃焼室にガスを送り、二次空気で燃焼させる。これは高級ストーブに多いが、針葉樹など木質ガスの性状の違う木は燃やせない。
【００１２】
点火時は、一次空気を送り木を燃やして温度を上げる。木質ガスが大量に出たら、一次側と煙突側を閉じて、二次燃焼室に空気を送る。木を熱してガスを発生させ、それを燃やす方式である。
【００１３】
クリーンバーン方式は、点火時は一次空気を多く入れ、温度が上がるに従い一次側を減らしていくものである。発生したガスにすぐ二次空気が接触するため効率よく燃える。杉などの針葉樹の場合は、一次空気を多くすると燃やす事ができる。
【００１４】
具体的には、点火時は、一次空気を送り温度を上げる。二次側は、最初から供給している。
【００１５】
温度が上がったら、一次側を絞る。針葉樹や水分の多い木は一次空気を多めに送りながら燃やすとうまく燃える。
【００１６】
以上３タイプがあるが、どれも焚き付け時は、炉内の温度は十分な高温に達せず、どのような構造の薪ストーブでも煙の発生を防ぐことはできない。（薪ストーブの宿命でもある）
【００１７】
よい薪ストーブとは、炉内の温度をいかに速やかに燃焼の好条件まで昇温させ維持することで、煙の発生を抑えた機能を持っているものということがいえる。
【００１８】
下記特許文献は、燃焼補助手段としてのエネルギーを一切費消せず、しかも、完全燃焼によって煙が全たく出ない燃焼炉を開示することを目的とするものであるとして提案されたものである。
【特許文献１】特許第３０６６０６６号公報
【００１９】
この特許文献１は図１６に示すように、鉄板を耐火材で被覆した燃焼室１は、天井面の一半が、蓋体２で構成されることにより、蓋体２の枢着部３を中心に、上方に回動して、燃焼物の投入口４が開口するようになっている。
【００２０】
天井面の他側は、燃焼装置の側面上端縁に一体的に固着し、前記投入口４から最も遠い位置に排気口５が穿設されている。
【００２１】
排気口５には、煙突９が嵌入して連結している。この排気口５と前記投入口４との間の天井面から、金属製の燃焼促進板６が、垂設されており、該燃焼促進板６の下端６ａは、燃焼室１の床面７との間に、所定の間隔ｌがあくように設けられている。ｌの長さは、通常燃焼室の高さｈの１／３〜１／４の長さの範囲で適宜に選択される。
【００２２】
燃焼促進板６には、多数の通孔６ｂ、６ｂ、…が該燃焼促進板６の全体に分散配置して穿設されることにより、投入口が開口する一次燃焼室１ａ側と、排気口５が開口する二次燃焼室１ｂ側とを連通せしめている。
【００２３】
なお、燃焼促進板には当然セラミック、耐熱レンガ等の耐熱材料を使用することができる。
【００２４】
８は、一次燃焼室の側壁の下部に開口する灰取出口、２ａは、蓋体に穿設されたハンドル、２ｂは、蓋体の開閉動作を容易にするバランス錘である。
【００２５】
燃焼炉は、一次燃焼室１ａ中に、焼却物を投入して、焼却物の上部に着火する。
【００２６】
空気は、蓋体２を若干持ち上げた状態で投入口の開口と蓋体２との隙間から供給される。蓋体２の側縁２ｃに横方向に突設したピン２ｄに回動自在に支持されている多角形の支持片２ｅを投入口４の周縁４ａの上面に当てて、これに蓋体２の重みをかけることにより、前記隙間が維持される。支持片２ｅを適宜回動して、ピン２ｄと支持片２ｅの底辺までの距離を変えることにより、空気量の調節ができる。
【００２７】
燃焼物は、着火後に蓋体を空気量を制限することにより間も無く（通常１〜２分）煙は収束し、無煙状態に急速に近づく。
【００２８】
燃焼が定常状態になった場合において、一次燃焼室の燃焼気流は、大部分が燃焼促進板の下方の通路を通って、二次燃焼室に入る。
【００２９】
この際、燃焼促進板は、赤熱状態になっており、この高温の燃焼促進板から、その通孔を通って、高温の空気が、二次燃焼室１ｂに供給され、該燃焼室１ｂ中は完全燃焼状態となる。
【００３０】
このように特許文献１では、空気供給口と排気口との間の天井面から燃焼促進板を垂設して、空気供給口が開口する一次燃焼室と排気口が開口する二次燃焼室とに燃焼室内を分画し、その燃焼促進板には、一次燃焼室と二次燃焼室とを連通する多数の通孔がその促進板の全体に分散配設されているため、一次燃焼室に投入された燃焼物の上面から下方に燃焼が進行するので、着火初期においても、煙を発生することが極めて少なく、更に、燃焼の拡大にともなって、燃焼促進板が赤熱することにより、該促進板が燃焼の触媒作用を果して、二次燃焼室内を高温に維持すると共に、赤熱した燃焼促進板を通過して、扁平な二次燃焼室に供給される高温空気は、二次燃焼室内の温度を下げることなく、二次燃焼室内に、まんべんなく、平均に、且つ、十分な空気を送り込む。
【００３１】
すると、前記燃焼物促進板の下端縁と燃焼室の床面との間に燃焼室の高さの１／３〜１／４の範囲を空隙を設けることにより、燃焼が定常状態になった場合において、一次燃焼室の燃焼気流は、大部分が燃焼促進板の下方の通路を通って、二次燃焼室に入るので、燃焼流は、二次燃焼室で完全燃焼して排気口に送り出される。
【発明の概要】
【発明が解決しようとする課題】
【００３２】
前記特許文献１は、前記二次燃焼室方式の１つであり、点火時は、一次空気を供給して函体の温度を上げ、高温になり木質ガスが分離したら二次燃焼室にガスを送り、二次空気で燃焼させるものである。
【００３３】
燃焼条件を作り出すため、二次燃焼室を設置し、高温状態を維持するのでは、全体重量が重くなる。
【００３４】
しかも燃焼促進板により二次燃焼室を高温状態を維持するものであり、燃焼促進板にはセラミック、耐熱レンガ等の耐熱材料を使用することができるとある。
【００３５】
このように燃焼の拡大にともなって、燃焼促進板が赤熱することにより、該促  進板が燃焼の触媒作用を果して、二次燃焼室内を高温に維持するものでありこれが不完全であると、燃え残りが全く無いので、従来の燃焼装置のように灰の中に未燃焼の黒色の炭化物が混じることが殆どなく、灰の量も極めて少ないという効果は得られない。
【００３６】
本発明の目的は前記従来例の不都合を解消し、二次燃焼室を設けるという複雑構造を取ることなく、煙突燃焼補助装置としての簡単な構成を付加するだけで、煙の発生を最小限に止められる軽量で安価な薪ストーブを提供することある。
【課題を解決するための手段】
【００３７】
前記目的を達成するため本発明は、ストーブ本体に内設するものであり、煙突の付け根に、孔を有する多孔質の筒体を、外筒，内筒からなり、孔の開口率は外筒よりも内筒を多くして２重筒として設けたこと、および、ストーブ本体は鋼板製で、多孔質の筒体は外筒よりも内筒が長いことを要旨とするものである。
【００３８】
請求項１記載の本発明によれば、煙突燃焼補助装置として、煙突の付け根に多孔質の筒体を蓄熱部材として内設することで、煙突の下部が昇温しやすく高温を維持でき、煙突の下部（煙突の付け根）の温度が１５０度を超えて煙が出ないようにすることができる。
【００３９】
また、筒体は多孔質なので煙突への煙の排出の抵抗を抑えることができる。
【００４０】
さらに、二重構造であることで、煙突の付け根の昇温が早くすることができる。
【００４１】
請求項２記載の本発明によれば、ストーブ本体は鋼板製であることにより軽量で安価なものとすることができる。外筒よりも内筒が長いことで煙が出づらいだけでなく燃焼効率も良くなる。
【発明の効果】
【００４２】
以上述べたように本発明の薪ストーブは、二次燃焼室を設けるという複雑構造を取ることなく、煙突燃焼補助装置としての簡単な構成を付加するだけで、煙の発生を最小限に止められる軽量で安価なものである。
【発明を実施するための形態】
【００４３】
以下、図面について本発明の実施の形態を詳細に説明する。図４〜図７は本発明の実施形態を示す説明図、図２は同上平面図で、先に薪ストーブのストーブ本体１０について説明すると、鋼板製で、図８〜図９および図１５にも示すように、底部がドーム形の横置きタイプで、コの字形の脚１１で前後を支承し、脚１１に底部と間隔を存して平行する遮熱板１２をかけ渡している。
【００４４】
また、ストーブ本体１０の上面は平坦な上床板であり、ここに開口および引き戸１３を設けて材料投入とエアー取込口１４を形成した。図中１３ａは引き戸１３の取手である。
【００４５】
さらに、エアー取込口１４の近傍に煙突１５を立設し、その下端をストーブ本体１０の内方に開口する。
【００４６】
以上は一例であり、ストーブ本体１０の形状はこれに限定されるものでなく、横置きタイプのみならず、縦置きタイプなど種々の形態が採用できる。
【００４７】
本発明は、煙突１５の付け根に、多孔質の筒体１６を蓄熱部材としてストーブ本体１０に内設するが、この、多孔質の筒体１６を２重筒構造とした。
【００４８】
図１１、図１２に多孔質の筒体１６を、図１３、図１４にその展開図を示す。
【００４９】
多孔質の筒体１６は外筒１６ａ，内筒１６ｂからなり、図示例では孔１９の開口率は図１３の外筒１６ａでは４．３６％、図１４の内筒１６ｂでは４．９２％である。
【００５０】
上部に取付用のフランジ１７を設け、その上に嵌合部１８を設けて、この嵌合部１８を煙突１５内に嵌入できるようにする。
【００５１】
発明者は炉内の温度を速やかに昇温できかつ高温を維持できる最適な構造の追求のための実証実験を試みた。
【００５２】
その実験の過程で煙突の下部（煙突の付け根）の温度が１５０度を超えると煙が出ないことを突き詰めることが出来た。すなわち燃焼開始（焚き付け時）から炉内が昇温し燃焼終了（鎮火時）までの間、煙突の下部が、１５０度を超えると煙が出なくなり、燃焼の終盤にそこの温度が、１５０度を下回ると煙が発生することが確認できた。
【００５３】
このことを踏まえ、煙突１５の下部が昇温しやすく高温を維持できる装置として、薪ストーブの燃焼炉内の煙の出口、すなわち煙突１５の付け根に、蓄熱する部材をつけることとし、多孔質の円筒を製作し設置したものである。
【００５４】
多孔質にした理由は、煙突への煙の排出の抵抗を抑えるためである。
【００５５】
なお、多孔質の筒体１６は、円筒であることに限定はされず、楕円筒、角筒であってもよい。また、材質はストーブ本体１と同じ、鋼板製であるがこれに限定されるものではない。
【００５６】
図１および図３〜図５は多孔質の筒体１６の種々のタイプのものであり、下記表にその試験結果を示す。図１は多孔質の筒体１６が１重でかつ太径のもの、図３は多孔質の筒体１６が１重で太径でないもの、図４は多孔質の筒体１６が２重で外筒と内筒に径の差がすくないもの、図５は多孔質の筒体１６が２重で外筒と内筒に径の差が大きいものである。
【００５７】
煙の発生を比較するため、実験炉に何もつけないタイプと、上記の多孔質の様々な円筒つけたタイプのものを並べて、燃焼実験を行い目視で観察をした。
【表１】
0005922206.tif 000002
【００５８】
前記案験No.１  ４）のタイプ改良のための燃焼実験  前節の４）の煙突煙燃焼補助装置の大きさが良い効果があることが分かったが、さらにこの装置の改良のため、外筒・内欄の径は変えずに、長さを変えて燃焼状祝を実験してみた。
【００５９】
図５の場合が外筒と内傷の長さが同じであったが、図６は外筒が長いタイプ、図７は内筒が長いタイプである。温度測定場所は図１５に示す。
下記表２に試験結果を示す。
【表２】
0005922206.tif 000003
【００６０】
燃焼実験では、煙の発生状況の観察のため製材揚で発生し他残材・端在を使用したが、数値的燃焼比較実験では、燃焼に使う薪（針葉樹・広葉樹）は含水率・炭素量のバラツキが多すぎるため、市販されているホワイトブリケット（カロリー等を揃えるため）を取り寄せ使用した。
【００６１】
薪ストーブと煙突の各所の時間経過の濃度を測定し、比較を試みた。その結果、６）内筒が長いタイプ［図７］が最善であることが分かり、この装置を設けることで、煙が出づらいだけでなく燃焼効率も良くなるということが実証できた。（温度測定箇所図  ロ・ニの昇温と温度保持状態に注目）
【００６２】
他の薪ストーブとの比較実験も「煙突煙燃焼補助装置」性能の実証のため前記のホワイトブリケットを使用し、数値実験をした。比較としては、多孔質の筒体が何もついないタイプ「図８、図９］、前記特許文献１のような燃焼促進板のついたタイプ［図１０］の３台を並べて各所の温度測定と煙の発生状況を比較した。下記表３に試験結果を示す。
【表３】
0005922206.tif 000004
【００６３】
本発明の薪ストーブが最も長い結果が得られた。
（温度測定箇所図  ロ・ニの昇温と温度保持状態に注目）
※  I・IIの実験の温度分布の差は、バーナーの着火の条件が異なったためと思われる。
【図面の簡単な説明】
【００６４】
【図１】本発明の薪ストーブとの比較としての薪ストーブの第１例を示す説明図である。
【図２】本発明の薪ストーブおよび比較としての薪ストーブの平面図である。
【図３】本発明の薪ストーブとの比較としての薪ストーブの第２例を示す説明図である。
【図４】本発明の薪ストーブの第１実施形態を示す説明図である。
【図５】本発明の薪ストーブの第２実施形態を示す説明図である。
【図６】本発明の薪ストーブの第３実施形態を示す説明図である。
【図７】本発明の薪ストーブの第４実施形態を示す説明図である。
【図８】本発明の薪ストーブとの比較としての薪ストーブの第３例を示す説明図である。
【図９】本発明の薪ストーブとの比較としての薪ストーブの第３例を示す平面図である。
【図１０】本発明の薪ストーブとの比較としての薪ストーブの第４例を示す平面図である。
【図１１】本発明の薪ストーブで使用する多孔質の筒体の平面図である。
【図１２】本発明の薪ストーブで使用する多孔質の筒体の側面図である。
【図１３】本発明の薪ストーブで使用する多孔質の筒体の外筒の展開図である。
【図１４】本発明の薪ストーブで使用する多孔質の筒体の内筒の展開図である。
【図１５】薪ストーブの温度測定箇所を示す説明図である。
【図１６】従来例を示す縦断側面図である。
【符号の説明】
【００６５】
１…燃焼室                  ２…蓋体
３…枢着部                  ４…投入口
５…排気口                  ６…燃焼促進板
６ｂ…通孔
７…床面                    ８…灰取出口
９…煙突                    １０…ストーブ本体
１１…脚                    １２…遮熱板
１３…引き戸                １３ａ…取手
１４…エアー取込口          １５…煙突
１６…多孔質の筒体          １６ａ…外筒
１６ｂ…内筒                １７…取付用のフランジ
１８…嵌合部                １９…孔
【図１】
0005922206.tif 000005
【図２】
0005922206.tif 000006
【図３】
0005922206.tif 000007
【図４】
0005922206.tif 000008
【図５】
0005922206.tif 000009
【図６】
0005922206.tif 000010
【図７】
0005922206.tif 000011
【図８】
0005922206.tif 000012
【図９】
0005922206.tif 000013
【図１０】
0005922206.tif 000014
【図１１】
0005922206.tif 000015
【図１２】
0005922206.tif 000016
【図１３】
0005922206.tif 000017
【図１４】
0005922206.tif 000018
【図１５】
0005922206.tif 000019
【図１６】
0005922206.tif 000020